(57)【要約】【課題】狭い所に設置されても、待ち受け光コネクタに相手方光コネクタを接続する作業を容易に行える回動型光コネクタ配列ケースを提供する。【解決手段】下側から相手方光コネクタ15が接続される複数の待ち受け光コネクタ13を複数列に配列して保持した光コネクタ配列ケース本体33と、この光コネクタ配列ケース本体を着脱可能に保持するケースホルダー35と、壁面39にねじ止め等により固定される固定部材37とを備える。ケースホルダー35と固定部材37は、光コネクタ配列ケース本体33が、待ち受け光コネクタ13の接続口21を下に向けたまま水平回動できるように、ヒンジ部55、61で連結されており、これにより光コネクタ配列ケース本33は、待ち受け光コネクタ13の配列方向が壁面39とほぼ直角になる待機位置と、全ての待ち受け光コネクタ13の接続口21が目視可能となる作業位置との間を往復回動できるようになっている。【選択図】図１
2010256525.tif 000002
【特許請求の範囲】
【請求項１】
相手方光コネクタが接続される複数の待ち受け光コネクタを、ケースの一面に一列又は複数列に配列して保持した光コネクタ配列ケース本体と、
壁面にねじ止め等により固定される固定部材とを備え、
前記光コネクタ配列ケース本体と固定部材とは、前記光コネクタ配列ケース本体が待ち受け光コネクタの接続口を同じ方向に向けたまま回動できるように、ヒンジ部で連結されており、これにより前記光コネクタ配列ケース本体は、待ち受け光コネクタの配列方向が前記壁面とほぼ直角になる待機位置と、全ての待ち受け光コネクタの接続口が目視可能となる作業位置との間を往復回動できるようになっていることを特徴とする回動型光コネクタ配列ケース。
【請求項２】
相手方光コネクタが接続される複数の待ち受け光コネクタを、ケースの一面に一列又は複数列に配列して保持した光コネクタ配列ケース本体と、
この光コネクタ配列ケース本体を着脱可能に保持するケースホルダーと、
壁面にねじ止め等により固定される固定部材とを備え、
前記ケースホルダーと固定部材とは、前記ケースホルダーに保持された光コネクタ配列ケース本体が待ち受け光コネクタの接続口を同じ方向に向けたまま回動できるように、ヒンジ部で連結されており、これにより前記光コネクタ配列ケース本体は、待ち受け光コネクタの配列方向が前記壁面とほぼ直角になる待機位置と、全ての待ち受け光コネクタの接続口が目視可能となる作業位置との間を往復回動できるようになっていることを特徴とする回動型光コネクタ配列ケース。
【発明の詳細な説明】
【技術分野】
【０００１】
本発明は、集合住宅の共用配電盤の中などに設置される光コネクタ配列ケースに関し、特に狭い所に設置しても光コネクタ接続作業性の良好な回動型光コネクタ配列ケースに関するものである。
【背景技術】
【０００２】
集合住宅などで、加入者の増加に応じて光通信回線を順次開設していく場合には、図９に示すように、当該集合住宅に引き込んだ局側光ケーブル１に局側光コネクタ３及び入力側光コネクタ５を介して（又は介さずに直接）光スプリッタ９の入力側光ファイバ心線７を接続し、この光スプリッタ９の複数本の出力側光ファイバ心線１１にそれぞれ待ち受け光コネクタ１３を取り付けておく。そして新規加入者が発生したときは、加入者側光ケーブル１７に取り付けた相手方光コネクタ１５を前記待ち受け光コネクタ１３に接続することで、光通信回線を開通させる。なお局側光コネクタ３と入力側光コネクタ５は、予め入力側光コネクタ５に取り付けられたコネクタアダプタ１９を介して接続され、待ち受け光コネクタ１３と相手方光コネクタ１５は、予め待ち受け光コネクタ１３に取り付けられたコネクタアダプタ２１を介して接続される。
【０００３】
このような光配線分配構造をとる場合、前記入力側光コネクタ５、入力側光ファイバ心線７、光スプリッタ９、出力側光ファイバ心線１１、待ち受け光コネクタ１３及びコネクタアダプタ１９、２１は、ケース２２に組み込まれて、光コネクタ配列ケース２３として構成される（特許文献１〜３参照）。待ち受け光コネクタ１３は通常、扁平なケース２２の端面に、相手方光コネクタ１５が接続できるように１列又は複数列に配列される。
【先行技術文献】
【特許文献】
【０００４】
【特許文献１】特開２００６−２０９１１８号公報
【特許文献２】特開２００７−１２１３９８号公報
【特許文献３】特開２００８−１２９１６６号公報
【発明の概要】
【発明が解決しようとする課題】
【０００５】
光スプリッタや待ち受け光コネクタなどをケースに組み込んだ光コネクタ配列ケースを、集合住宅などに設置する場合、光コネクタ配列ケースは既設の共用配電盤の中などに設置されることが多い。図１０にその一例を示す。図において、２５は集合住宅の壁、２７は壁２５に固定された配電盤のキャビネット、２７ａはキャビネット２７の開閉扉、２９はキャビネット２７の奥壁面２７ｂに固定された配電盤用の各種機器である。光コネクタ配列ケース２３は、このような配電盤の各種機器２９の間の狭いスペースに設置せざるを得ない場合が多い。
【０００６】
しかし、光コネクタ配列ケース２３は、設置後に新規加入者が発生する度に、待ち受け光コネクタに相手方光コネクタを接続する作業が必要となるため、配電盤内の各種機器２９の間や片隅などの狭い所に設置されてしまうと、相手方光コネクタの接続作業が非常にやりにくくなるという問題がある。
【０００７】
本発明の目的は、狭い所に設置されても、待ち受け光コネクタに相手方光コネクタを接続する作業を容易に行える回動型光コネクタ配列ケースを提供することにある。
【課題を解決するための手段】
【０００８】
本発明に係る回動型光コネクタ配列ケースは、
相手方光コネクタが接続される複数の待ち受け光コネクタを、ケースの一面に一列又は複数列に配列して保持した光コネクタ配列ケース本体と、
壁面にねじ止め等により固定される固定部材とを備え、
前記光コネクタ配列ケース本体と固定部材とは、前記光コネクタ配列ケース本体が待ち受け光コネクタの接続口を同じ方向に向けたまま回動できるように、ヒンジ部で連結されており、これにより前記光コネクタ配列ケース本体は、待ち受け光コネクタの配列方向が前記壁面とほぼ直角になる待機位置と、全ての待ち受け光コネクタの接続口が目視可能となる作業位置との間を往復回動できるようになっていることを特徴とするものである。
【０００９】
また、本発明に係る回動型光コネクタ配列ケースは、
相手方光コネクタが接続される複数の待ち受け光コネクタを、ケースの一面に一列又は複数列に配列して保持した光コネクタ配列ケース本体と、
この光コネクタ配列ケース本体を着脱可能に保持するケースホルダーと、
壁面にねじ止め等により固定される固定部材とを備え、
前記ケースホルダーと固定部材とは、前記ケースホルダーに保持された光コネクタ配列ケース本体が待ち受け光コネクタの接続口を同じ方向に向けたまま回動できるように、ヒンジ部で連結されており、これにより前記光コネクタ配列ケース本体は、待ち受け光コネクタの配列方向が前記壁面とほぼ直角になる待機位置と、全ての待ち受け光コネクタの接続口が目視可能となる作業位置との間を往復回動できるようになっていることを特徴とするものであってもよい。
【発明の効果】
【００１０】
本発明によれば、相手方光コネクタの接続作業を行わないときは、光コネクタ配列ケース本体を待ち受け光コネクタの配列方向が壁面とほぼ直角方向に向いた状態で待機させておけばよいので設置スペースをとらず、また相手方光コネクタの接続作業を行うときは、光コネクタ配列ケース本体を待機位置から全ての待ち受け光コネクタの接続口が目視可能となる作業位置まで回動させれば接続作業を行えるので、狭いスペースでも相手方光コネクタの接続作業を容易に行うことができる。
【００１１】
また、光コネクタ配列ケースをケースホルダーに着脱可能に保持させる構造にすれば、必要に応じ、光コネクタ配列ケースをケースホルダーから取り外して相手方光コネクタの接続作業を行うことも可能となり、周囲の状況に応じて作業がやり易い状態で相手方光コネクタの接続作業を行うことができる。
【図面の簡単な説明】
【００１２】
【図１】本発明に係る回動型光コネクタ配列ケースの一実施例を示す、（Ａ）は正面図、（Ｂ）は光コネクタ配列ケース本体の正面側から見た側面図、（Ｃ）は底面図。
【図２】図１の回動型光コネクタ配列ケースの光コネクタ配列ケース本体が図１の状態から回動した状態を示す底面図。
【図３】（Ａ）は図１の状態の回動型光コネクタ配列ケースを斜め下方から見た斜視図、（Ｂ）は図１の回動型光コネクタ配列ケースの光コネクタ配列ケース本体が図１の状態から回動した状態を斜め下方から見た斜視図。
【図４】図１の回動型光コネクタ配列ケースの光コネクタ配列ケース本体を示す、（Ａ）は正面図、（Ｂ）は左側面図、（Ｃ）は底面図。
【図５】図４の光コネクタ配列ケース本体を斜め下方から見た斜視図。
【図６】図１の回動型光コネクタ配列ケースのケースホルダー及び固定部材を、ケースホルダーが図１の状態から９０°回動した状態で示す、（Ａ）は正面図、（Ｂ）は左側面図、（Ｃ）は底面図。
【図７】本発明に係る回動型光コネクタ配列ケースの他の実施例を示す、（Ａ）は正面図、（Ｂ）は光コネクタ配列ケース本体の正面側から見た側面図、（Ｃ）は底面図。
【図８】図７の回動型光コネクタ配列ケースの光コネクタ配列ケース本体が図７の状態から回動した状態を示す底面図。
【図９】光コネクタ配列ケースの説明図。
【図１０】光コネクタ配列ケースを配電盤の中に設置した状態を、上側から見た説明図。
【発明を実施するための形態】
【００１３】
以下、本発明の実施例を図面を参照して詳細に説明する。
＜実施例１＞  図１ないし図３は本発明に係る回動型光コネクタ配列ケースの一実施例を示す。この回動型光コネクタ配列ケース３１は、光コネクタ配列ケース本体３３と、この光コネクタ配列ケース本体３３を着脱可能に保持するケースホルダー３５と、キャビネット又は建築物などの壁面３９にねじ止め等により固定される固定部材３７とから構成されている。
【００１４】
光コネクタ配列ケース本体３３は、図９の光コネクタ配列ケース２３と同様、ケース２２に、入力側光コネクタ５、入力側光ファイバ心線７、光スプリッタ９、出力側光ファイバ心線１１、待ち受け光コネクタ１３及びコネクタアダプタ１９、２１（一部図示省略）を組み込んだものである。
【００１５】
この実施例の光コネクタ配列ケース本体３３は、図４及び図５に示すように、待ち受け光コネクタ１３の先端に装着されたコネクタアダプタ２１が配列されるケース２２の下端面が、側面から見ると階段状に複数段に形成され、階段の段差面に相当する複数の端面３２ａ、３２ｂにそれぞれ前記コネクタアダプタ２１が１列ずつ配列されている。コネクタアダプタ２１の下端は端面３２ａ、３２ｂから下向きに開口していて、相手方光コネクタ１５を待ち受け光コネクタ１３に接続するための接続口となっている。また、階段の踏み段面に相当するケース２２の壁面（正面）は、２段目の端面３２ｂに配列されたコネクタアダプタ２１に相手方光コネクタ２３を挿抜するときのコネクタスライド台３４となっている。コネクタスライド台３４の長さ（１段目の端面３２ａから２段目の端面３２ｂまでの長さ）は、コネクタアダプタ２１に差し込み接続された相手方光コネクタ１５の、コネクタアダプタ２１からの突出長さとほぼ同じになっている。
【００１６】
このような構成にすると、全部のコネクタアダプタ２１が正面から目視できるため、相手方光コネクタ１５の接続作業を容易に行える。また２段目のコネクタアダプタ２１に相手方光コネクタ１５を差し込むときは、相手方光コネクタ１５をコネクタスライド台２７に押し付けながらスライドさせることにより、差し込むことができる。また２段目のコネクタアダプタ２１から相手方光コネクタ１５を引き抜くときも、相手方光コネクタ１５をコネクタスライド台２７に押し付けながらスライドさせることにより、引き抜くことができる。つまり、相手方光コネクタ１５を手指で摘むことなく、相手方光コネクタ１５の一面に手指で力を加えることにより相手方光コネクタ１５を挿抜することが可能となる。このため、コネクタアダプタ２１の間隔を十分狭くしても相手方光コネクタ１５の挿抜が可能となる。
【００１７】
また、コネクタスライド台３４の手前で相手方光コネクタ１５が２段目のコネクタアダプタ２１に差し込み接続されている状態で、その裏側のコネクタアダプタ２１に相手方光コネクタ１５を挿抜するときは、手前側の光コネクタ１５の後端付近の光ケーブル１７（又はゴムブーツ）の両側から（要するに光コネクタ１５よりも細い部分の両側から）、その裏側の相手方光コネクタ１５を手指で摘んで挿抜を行うことができる。このため手前側の（コネクタスライド台３４上の）相手方光コネクタ１５の間に手指を差し込む必要がないので、コネクタアダプタを同じ端面に２列に配列する場合よりもコネクタアダプタ２１の間隔を狭くすることができ、光コネクタ配列ケースを小型化できる。
【００１８】
図４及び図５の例は、ケース本体３３の、待ち受け光コネクタ１１のコネクタアダプタ２１が配列される端面が２段の場合であるが、３段以上の場合も同様である。
【００１９】
また、ケース２２の待ち受け光コネクタ配列方向の片側（図４（Ａ）で右側）には、入力側光コネクタ５及びコネクタアダプタ１９が組み込まれている。入力側光コネクタ５には、コネクタアダプタ１９を介して、局側光ケーブル１の先端に取り付けられた局側光コネクタ３が接続される。またケース２２の入力側光コネクタ５及びコネクタアダプタ１９が組み込まれた部分には、下方に伸びる脚部４１が一体に形成され、その下端には把持部４３が形成されている。局側光ケーブル１は、この把持部４３に保持され、保護されるようになっている。
【００２０】
次に、ケースホルダー３５と固定部材３７の構成を図６を参照して説明する。まず、ケースホルダー３５は、背面板４５と、その両側から前方に平行に伸びる１対のアーム板４７ａ、４７ｂとを有しており、上から見るとほぼコ字形である。アーム板４７ａ、４７ｂの先端には内向きにフック部４９ａ、４９ｂが形成されている。一方、固定部材３７は、上下方向に長い平板部５１と、この平板部５１の片側の上下辺の両端に突設されたブラケット５３に両端を支持された垂直軸５５と、前記平板部５１の反対側の上下辺のほぼ中央部から平板部５１に対し直角に起立する止め板５７とを有している。止め板５７の先端部付近には穴５９が形成されている。
【００２１】
一方、ケースホルダー３５の、前記垂直軸５５側のアーム板４７ｂの外面には、当該アーム板４７ｂと背面板４５との角部付近に、前記垂直軸５５を半周以上包囲して抱え込む形の軸受部６１が形成されている。ケースホルダー３５は、この軸受部６１を前記垂直軸５５に装着することで、固定部材３７に水平回動できるように取り付けられている。つまり、垂直軸５５と軸受部６１は中心軸線が垂直なヒンジ部を構成している。また、ケースホルダー３５のもう一方のアーム板４７ａの外面には、突起６３が形成されている。この突起６３は、図６（Ｃ）の状態からケースホルダー３５を時計回りに回動させて、その背面板４５が固定部材３７の平板部５１に当接する状態になると、前記止め板５７の穴５９に入り込んで（図１（Ｂ）参照）、ケースホルダー３５をその位置に保持する働きをする。
【００２２】
ケースホルダー３５には図１及び図２のように光コネクタ配列ケース本体３３が装着される。すなわち、光コネクタ配列ケース本体３３は、ケースホルダー３５のアーム板４７ａ、４７ｂの間に、その入力側光コネクタ５側の外面が平板部５１に突き当たるまで差し込むと、アーム板４７ａ、４７ｂが光コネクタ配列ケース本体３３を両面から挟み付けると共に、フック部４９ａ、４９ｂが光コネクタ配列ケース本体３３を抱え込む状態となる。なお、ケース２２の入力側光コネクタ５と反対側の外面には、フック部４９ａ、４９ｂの上端に引っ掛かるストッパー６５が突設されており、これにより光コネクタ配列ケース本体３３は下方にずり落ちないようになっている。
【００２３】
この回動型光コネクタ配列ケース３１を設置する場合には、まず、固定部材３７を、ケースホルダー３５に光コネクタ配列ケース本体３３を組み付けない状態（図６の状態）で、キャビネット等の壁面３９にねじ止めにより固定する。次に図１のようにケースホルダー３５を、そのアーム板４７ａ、４７ｂが壁面３９に対し直角に向くように戻して突起６３を止め板５７の穴５９に入り込ませると共に、ケースホルダー３５に光コネクタ配列ケース本体３３を組み付ける。これで、光コネクタ配列ケース本体３３は待機位置に保持された状態となる。この状態では、光コネクタ配列ケース本体３３は、待ち受け光コネクタ１３の配列方向が壁面３９に対し直角になっているため（固定部材３７の幅方向の広がりがないため）、狭いスペースに設置できる。
【００２４】
次に、図１のように設置された光コネクタ配列ケース本体３３のいずれかの待ち受け光コネクタ１３に相手方光コネクタ１５を接続する必要が生じたときは、ケースホルダー３５を垂直軸５５を中心として光コネクタ配列ケース本体３３の裏側（ここでは光コネクタ配列ケース本体３３の全ての待ち受け光コネクタの接続口が見える側を表側、その反対側を裏側という）が壁面３９に向かう方向に（図１（Ｃ）で反時計回りに）回動させる。すると、図２及び図３（Ｂ）に示すように、壁面３９の向かい側から（図２の矢印Ａ方向から）、２段に配列されている全てのコネクタアダプタ２１の下端縁（接続口）を目視できる状態となるので、相手方光コネクタを、接続すべき待ち受け光コネクタに間違いなく接続することができる。また、相手方光コネクタを接続する作業は、光コネクタ配列ケース本体３３を壁面３９と平行になるまで回動させなくても、図２及び図３（Ａ）のように壁面３９に対し斜めになるまで回動させれば、行うことが可能であるので、相手方光コネクタの接続作業も狭いスペースで行うことができる。なお、突起６３と止め板５７の穴５９との係合は、ケースホルダー３５を回動させると、止め板５７が外側へ僅かに弾性変形して、簡単に外れる程度の浅い係合となっている。
【００２５】
＜実施例２＞  図７及び図８は本発明の他の実施例を示す。この回動型光コネクタ配列ケース３１は、実施例１におけるケースホルダー３５を省略して、光コネクタ配列ケース本体３３と固定部材３７とから構成したものである。固定部材３７の構成は、ケースホルダーがない分、幅が狭くなるだけで、実施例１と実質的に同じである。この実施例では、光コネクタ配列ケース本体３３のケース２２の裏側に軸受部６１が一体に形成され、この軸受部６１を固定部材３７の垂直軸５５に装着することによって、光コネクタ配列ケース本体３３が水平回動できるようになっている。また、ケース２２の表側の外面には突起６３が形成され、この突起６３が止め板５７に形成された穴５９に入り込んで、光コネクタ配列ケース本体３３を待機位置に保持するようになっている。
【００２６】
上記以外の構成は、実施例１と同じであるので、同一部分には同一符号を付して説明を省略する。このような構成でも実施例１と同様の効果が得られる。
【００２７】
＜その他の実施例＞  以上の実施例では、ヒンジ部の中心軸線を上下方向に向けて、光コネクタ配列ケース本体が待ち受け光コネクタの接続口を下に向けたまま回動する場合を説明したが、本発明に係る光コネクタ配列ケースは、ヒンジ部の中心軸線を水平方向に向けて、光コネクタ配列ケース本体が待ち受け光コネクタの接続口を横に向けたまま回動する状態で使用することもできる。
【符号の説明】
【００２８】
１：局側光ケーブル
３：局側光コネクタ
５：入力側光コネクタ
７：入力側光ファイバ心線
９：光スプリッタ
１１：出力側光ファイバ心線
１３：待ち受け光コネクタ
１５：相手方光コネクタ
１７：加入者側光ケーブル
１９、２１：コネクタアダプタ
２２：ケース
３１：回動型光コネクタ配列ケース
３３：光コネクタ配列ケース本体
３５：ケースホルダー
３７：固定部材
３９：壁面
４５：背面板
４７ａ、４７ｂ：アーム板
４９ａ、４９ｂ：フック部
５１：平板部
５５：垂直軸
５７：止め板
５９：穴
６１：軸受部
６３：突起
【図１】
2010256525.tif 000003
【図２】
2010256525.tif 000004
【図３】
2010256525.tif 000005
【図４】
2010256525.tif 000006
【図５】
2010256525.tif 000007
【図６】
2010256525.tif 000008
【図７】
2010256525.tif 000009
【図８】
2010256525.tif 000010
【図９】
2010256525.tif 000011
【図１０】
2010256525.tif 000012